(57)【特許請求の範囲】
【請求項１】
レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおいて、
前記レシート情報送信装置は、
前記レシート情報を前記レシート情報蓄積装置へ送信する第１のレシート情報送信手段と、
前記レシート情報蓄積装置のネットワーク上のアドレスを前記携帯端末へ送信する第１のアドレス送信手段と
を備え、
前記携帯端末は、
前記レシート情報送信装置からのレシート情報蓄積装置のネットワーク上のアドレスを受信する第１のアドレス受信手段と、
該受信されたレシート情報蓄積装置のネットワーク上のアドレスを前記レシート情報管理端末へ送信する第２のアドレス送信手段と
を備え、
前記レシート情報蓄積装置は、前記レシート情報送信装置からのレシート情報を受信する第１のレシート情報受信手段と、
該受信されたレシート情報を蓄積するレシート情報蓄積手段
を備え、
前記レシート情報管理端末は、
前記携帯端末からのレシート情報蓄積装置のネットワーク上のアドレスを受信する第２のアドレス受信手段と、
該受信されたレシート情報蓄積装置のネットワーク上のアドレスに基づいて、前記レシート情報蓄積装置に対し、レシート情報を要求するレシート情報要求手段と
を備え、
前記レシート情報蓄積装置は、
前記レシート情報管理端末からの要求に応じ、前記レシート情報蓄積手段に蓄積されたレシート情報を該レシート情報管理端末へ送信する第２のレシート情報送信手段
を備え、
前記レシート情報管理端末は、
前記レシート情報蓄積装置からのレシート情報を受信する第２のレシート情報受信手段
を備えるレシート情報管理システム。
【請求項２】
請求項１に記載のレシート情報管理システムにおいて、
前記携帯端末は、
該携帯端末の利用者を識別する利用者識別情報をレシート情報送信装置へ送信する第１の利用者識別情報送信手段
を備え、
前記レシート情報送信装置は、
前記携帯端末からの利用者識別情報を受信する第１の利用者識別情報受信手段と、
該受信された利用者識別情報を前記レシート情報に付加する利用者識別情報付加手段と
を備え、
前記レシート情報送信装置内の第１のレシート情報送信手段は、
前記利用者識別情報が付加されたレシート情報を前記レシート情報蓄積装置へ送信するようにしたレシート情報管理システム。
【請求項３】
請求項２に記載のレシート情報管理システムにおいて、
前記携帯端末は、
前記レシート情報蓄積装置のネットワーク上のアドレスとともに、前記利用者識別情報をレシート情報管理端末へ送信する第２の利用者識別情報送信手段
を備え、
前記レシート情報管理端末は、
前記携帯端末からの利用者識別情報を受信する第２の利用者識別情報受信手段
を備え、
前記レシート情報管理端末内のレシート情報要求手段は、
前記受信された利用者識別情報を含んだ要求を行い、
前記レシート情報蓄積装置内の第２のレシート情報送信手段は、
前記レシート情報管理端末からの要求に含まれる利用者識別情報が付加されたレシート情報を、該レシート情報管理端末へ送信するようにしたレシート情報管理システム。
【請求項４】
レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおいて、
前記レシート情報送信装置は、
前記レシート情報に前記レシート情報蓄積装置のネットワーク上のアドレスを付加するアドレス付加手段と、
前記レシート情報蓄積装置のネットワーク上のアドレスが付加されたレシート情報を前記携帯端末へ送信する第１のレシート情報送信手段
を備え、
前記携帯端末は、
前記レシート情報送信装置からのレシート情報蓄積装置のネットワーク上のアドレスが付加されたレシート情報を受信する第１のレシート情報受信手段と、
該受信されたレシート情報蓄積装置のネットワーク上のアドレスに基づいて、該受信されたレシート情報を前記レシート情報蓄積装置へ送信する第２のレシート情報送信手段と、
該受信されたレシート情報蓄積装置のネットワーク上のアドレスを前記レシート情報管理端末へ送信する第１のアドレス送信手段と
を備え、
前記レシート情報蓄積装置は、
前記携帯端末からのレシート情報を受信する第２のレシート情報受信手段と、
該受信されたレシート情報を蓄積するレシート情報蓄積手段
を備え、
前記レシート情報管理端末は、
前記携帯端末からのレシート情報蓄積装置のネットワーク上のアドレスを受信する第１のアドレス受信手段と、
該受信されたレシート情報蓄積装置のネットワーク上のアドレスに基づいて、前記レシート情報蓄積装置に対し、レシート情報を要求するレシート情報要求手段と
を備え、
前記レシート情報蓄積装置は、
前記レシート情報管理端末からの要求に応じ、前記レシート情報蓄積手段に蓄積されたレシート情報を該レシート情報管理端末へ送信する第３のレシート情報送信手段
を備え、
前記レシート情報管理端末は、
前記レシート情報蓄積装置からのレシート情報を受信する第３のレシート情報受信手段
を備えるレシート情報管理システム。
【請求項５】
請求項４に記載のレシート情報管理システムにおいて、
前記携帯端末は、
該携帯端末の利用者を識別する利用者識別情報を前記第１のレシート情報受信手段により受信されたレシート情報に付加する利用者識別情報付加手段
を備え、
前記携帯端末内の第２のレシート情報送信手段は、
前記利用者識別情報が付加されたレシート情報を前記レシート情報蓄積装置へ送信するようにしたレシート情報管理システム。
【請求項６】
請求項５に記載のレシート情報管理システムにおいて、
前記携帯端末は、
前記レシート情報蓄積装置のネットワーク上のアドレスとともに、前記利用者識別情報をレシート情報管理端末へ送信する利用者識別情報送信手段
を備え、
前記レシート情報管理端末は、
前記携帯端末からの利用者識別情報を受信する利用者識別情報受信手段
を備え、
前記レシート情報管理端末内のレシート情報要求手段は、前記受信された利用者識別情報を含んだ要求を行い、
前記レシート情報蓄積装置内の第３のレシート情報送信手段は、前記レシート情報管理端末からの要求に含まれる利用者識別情報が付加されたレシート情報を、該レシート情報管理端末へ送信するようにしたレシート情報管理システム。
【請求項７】
請求項１乃至６の何れかに記載のレシート情報管理システムにおいて、
前記レシート情報管理端末は、前記受信されたレシート情報に基づいて、商品購入履歴を作成する商品購入履歴作成手段
を備えるレシート情報管理システム。
【請求項８】
請求項１乃至７の何れかに記載のレシート情報管理システムにおいて、
前記レシート情報が商品の属性を含む場合に、前記レシート情報管理端末は、前記受信されたレシート情報を該レシート情報に含まれる商品の属性に基づいて仕分けるレシート情報仕分手段
を備えるレシート情報管理システム。
【請求項９】
請求項１乃至８の何れかに記載のレシート情報管理システムにおいて、
前記レシート情報が商品の有効期限を含む場合に、
前記レシート情報管理端末は、各商品について有効期限が経過しているか否かを判定する期限判定手段と、
該期限判定手段により有効期限が経過していると判定された場合に、その旨を通知する期限経過通知手段とを備えるレシート情報管理システム。
【請求項１０】
請求項１乃至９の何れかに記載のレシート情報管理システムにおいて、
前記携帯端末は、前記受信されたレシート情報を通知するレシート情報通知手段を備えるレシート情報管理システム。
【請求項１１】
レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおけるレシート情報管理方法において、
前記レシート情報送信装置は、前記レシート情報と前記レシート情報蓄積装置のネットワーク上のアドレスとを前記携帯端末へ送信し、
前記携帯端末は、前記レシート情報送信装置からのレシート情報とレシート情報蓄積装置のネットワーク上のアドレスとを受信し、該受信したレシート情報を前記レシート情報蓄積装置へ送信し、該受信したレシート情報蓄積装置のネットワーク上のアドレスを前記レシート情報管理端末へ送信し、
前記レシート情報蓄積装置は、前記携帯端末からのレシート情報を受信し、該受信したレシート情報を蓄積し、
前記レシート情報管理端末は、前記携帯端末からのレシート情報蓄積装置のネットワーク上のアドレスを受信し、該受信したレシート情報蓄積装置のネットワーク上のアドレスに基づいて、前記レシート情報蓄積装置に対し、レシート情報を要求し、前記レシート情報蓄積装置は、前記レシート情報管理端末からの要求に応じ、前記蓄積されたレシート情報を該レシート情報管理端末へ送信し、
前記レシート情報管理端末は、前記レシート情報蓄積装置からのレシート情報を受信するレシート情報管理方法。
【請求項１２】
レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおけるレシート情報管理方法において、
前記レシート情報送信装置は、前記レシート情報に前記レシート情報蓄積装置のネットワーク上のアドレスを付加し、該レシート情報蓄積装置のネットワーク上のアドレスが付加されたレシート情報を前記携帯端末へ送信し、
前記携帯端末は、前記レシート情報送信装置からのレシート情報蓄積装置のネットワーク上のアドレスが付加されたレシート情報を受信し、該受信したレシート情報蓄積装置のネットワーク上のアドレスに基づいて、該受信されたレシート情報を前記レシート情報蓄積装置へ送信し、該受信したレシート情報蓄積装置のネットワーク上のアドレスを前記レシート情報管理端末へ送信し、
前記レシート情報蓄積装置は、前記携帯端末からのレシート情報を受信し、該受信したレシート情報を蓄積し、
前記レシート情報管理端末は、前記携帯端末からのレシート情報蓄積装置のネットワーク上のアドレスを受信し、該受信したレシート情報蓄積装置のネットワーク上のアドレスに基づいて、前記レシート情報蓄積装置に対し、レシート情報を要求し、前記レシート情報蓄積装置は、前記レシート情報管理端末からの要求に応じ、前記レシート情報蓄積手段に蓄積されたレシート情報を該レシート情報管理端末へ送信し、
前記レシート情報管理端末は、前記レシート情報蓄積装置からのレシート情報を受信するレシート情報管理方法。
【発明の詳細な説明】
【０００１】
【発明の属する技術分野】
本発明は、携帯端末の利用者による商品購入に対応するレシート情報を管理するレシート情報管理システム及びレシート情報管理方法に関する。
【０００２】
【従来の技術】
従来から、家庭や企業において商品購入の履歴を管理することが行われている。
このような商品購入の履歴を管理する者は、一般に、紙に印刷された品目や金額等を見て、管理簿に書き写したり、ソフトウェアを利用する場合には品目や金額等をキーボードで入力することにより、商品購入の履歴を管理していた。
【０００３】
【発明が解決しようとする課題】
しかしながら、上述したような紙ベースの情報は消失しやすいという問題があった。また、管理者が品目や金額等を管理簿に書き写したり、キーボードで入力することは煩雑であり、誤った金額等を記載したり入力することもあり得る。このため、商品購入に対応するレシート情報を消失することなく、且つ、正確に管理することが可能なシステムが要求されている。
【０００４】
本発明は、上記問題点を解決するものであり、その目的は、商品購入に対応するレシート情報の消失を防止するとともに、正確なレシート情報の管理が可能なレシート情報管理システム及びレシート情報管理方法を提供することにある。
【０００５】
【課題を解決するための手段】
上記の目的を達成するため、本発明によれば、レシート情報送信装置、携帯端末及びレシート情報管理端末を有し、前記携帯端末の利用者による商品購入に対応するレシート情報を管理するレシート情報管理システムにおいて、前記レシート情報送信装置は、前記レシート情報を前記携帯端末へ送信する第１のレシート情報送信手段を備え、前記携帯端末は、前記レシート情報送信装置からのレシート情報を受信する第１のレシート情報受信手段と、該受信されたレシート情報を前記レシート情報管理端末へ送信する第２のレシート情報送信手段とを備え、前記レシート情報管理端末は、前記携帯端末からのレシート情報を受信する第２のレシート情報受信手段を備える。
【０００６】
このようなレシート情報管理システムでは、携帯端末の利用者による商品購入に対応するレシート情報がレシート情報送信装置から携帯端末を介してレシート情報管理端末へ送信される。即ち、紙ベースの情報を用いることなくレシート情報を管理するため、レシート情報の消失を防止することが可能となる。また、従来のように、管理者がレシート情報を書き写したり、キーボードで入力する必要がなく、正確なレシート情報の管理が可能となる。
【０００７】
また、本発明によれば、レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおいて、前記情報送信装置は、前記レシート情報を前記レシート情報蓄積装置へ送信する第１のレシート情報送信手段と、前記レシート情報蓄積装置のネットワーク上のアドレスとを前記携帯端末へ送信する第１のアドレス送信手段とを備え、前記携帯端末は、前記レシート情報送信装置からのレシート情報蓄積装置のネットワーク上のアドレスを受信する第１のアドレス受信手段と、該受信されたレシート情報蓄積装置のネットワーク上のアドレスを前記レシート情報管理端末へ送信する第２のアドレス送信手段とを備え、前記レシート情報蓄積装置は、前記携帯端末からのレシート情報を受信する第１のレシート情報受信手段と、該受信されたレシート情報を蓄積するレシート情報蓄積手段を備え、前記レシート情報管理端末は、前記携帯端末からのレシート情報蓄積装置のネットワーク上のアドレスを受信する第２のアドレス受信手段と、該受信されたレシート情報蓄積装置のネットワーク上のアドレスに基づいて、前記レシート情報蓄積装置に対し、レシート情報を要求するレシート情報要求手段とを備え、前記レシート情報蓄積装置は、前記レシート情報管理端末からの要求に応じ、前記レシート情報蓄積手段に蓄積されたレシート情報を該レシート情報管理端末へ送信する第２のレシート情報送信手段を備え、前記レシート情報管理端末は、前記レシート情報蓄積装置からのレシート情報を受信する第２のレシート情報受信手段を備える。
【０００８】
このようなレシート情報管理システムでは、携帯端末の利用者による商品購入に対応するレシート情報がレシート情報送信装置からレシート情報蓄積装置へ送信されるとともに、そのレシート情報蓄積装置のネットワーク上のアドレスがレシート情報送信装置から携帯端末を介してレシート情報管理端末へ送信され、レシート情報管理端末はそのアドレスに基づいてレシート情報蓄積装置に蓄積されたレシート情報を取得する。即ち、紙ベースの情報を用いることなくレシート情報を管理するため、レシート情報の消失を防止することが可能となる。また、従来のように、管理者がレシート情報を書き写したり、キーボードで入力する必要がなく、正確なレシート情報の管理が可能となる。
【０００９】
また、複数の携帯端末の利用者が商品を購入した場合に、各利用者を識別してその商品購入に対応するレシート情報を管理することを可能にするという観点から、本発明によれば、前記レシート情報管理システムにおいて、前記携帯端末は、該携帯端末の利用者を識別する利用者識別情報をレシート情報送信装置へ送信する第１の利用者識別情報送信手段を備え、前記レシート情報送信装置は、前記携帯端末からの利用者識別情報を受信する第１の利用者識別情報受信手段と、該受信された利用者識別情報を前記レシート情報に付加する利用者識別情報付加手段とを備え、前記レシート情報送信装置内の第１のレシート情報送信手段は、前記利用者識別情報が付加されたレシート情報を前記レシート情報蓄積装置へ送信するようにした。
【００１０】
また、複数の携帯端末の利用者による商品購入に対応するレシート情報が蓄積されている場合に、各利用者が自己の商品購入に対応するレシート情報を取得することを可能にするとともに、他の利用者に自己の商品購入に対応するレシート情報が漏洩することを防止するという観点から、本発明によれば、前記レシート情報管理システムにおいて、前記携帯端末は、前記レシート情報蓄積装置のネットワーク上のアドレスとともに、前記利用者識別情報をレシート情報管理端末へ送信する第２の利用者識別情報送信手段を備え、前記レシート情報管理端末は、前記携帯端末からの利用者識別情報を受信する第２の利用者識別情報受信手段を備え、前記レシート情報管理端末内のレシート情報要求手段は、前記受信された利用者識別情報を含んだ要求を行い、前記レシート情報蓄積装置内の第２のレシート情報送信手段は、前記レシート情報管理端末からの要求に含まれる利用者識別情報が付加されたレシート情報を、該レシート情報管理端末へ送信するようにした。
【００１１】
また、本発明によれば、レシート情報送信装置、携帯端末、ネットワーク上のレシート情報蓄積装置及びレシート情報管理端末を有し、前記携帯端末の利用者による商品購入に対応するレシート情報を管理するレシート情報管理システムにおいて、前記情報送信装置は、前記レシート情報に前記レシート情報蓄積装置のネットワーク上のアドレスを付加するアドレス付加手段と、前記レシート情報蓄積装置のネットワーク上のアドレスが付加されたレシート情報を前記携帯端末へ送信する第１のレシート情報送信手段を備え、前記携帯端末は、前記情報送信装置からのレシート情報蓄積装置のネットワーク上のアドレスが付加されたレシート情報を受信する第１のレシート情報受信手段と、該受信されたレシート情報蓄積装置のネットワーク上のアドレスに基づいて、該受信されたレシート情報を前記レシート情報蓄積装置へ送信する第２のレシート情報送信手段と、該受信されたレシート情報蓄積装置のネットワーク上のアドレスを前記レシート情報管理端末へ送信する第１のアドレス送信手段とを備え、前記レシート情報蓄積装置は、前記携帯端末からのレシート情報を受信する第２のレシート情報受信手段と、該受信されたレシート情報を蓄積するレシート情報蓄積手段を備え、前記レシート情報管理端末は、前記携帯端末からのレシート情報蓄積装置のネットワーク上のアドレスを受信する第１のアドレス受信手段と、該受信されたレシート情報蓄積装置のネットワーク上のアドレスに基づいて、前記レシート情報蓄積装置に対し、レシート情報を要求するレシート情報要求手段とを備え、前記レシート情報蓄積装置は、前記レシート情報管理端末からの要求に応じ、前記レシート情報蓄積手段に蓄積されたレシート情報を該レシート情報管理端末へ送信する第３のレシート情報送信手段を備え、前記レシート情報管理端末は、前記レシート情報蓄積装置からのレシート情報を受信する第３のレシート情報受信手段を備える。
【００１２】
このようなレシート情報管理システムでは、携帯端末の利用者による商品購入に対応するレシート情報がレシート情報送信装置から携帯端末を介してレシート情報蓄積装置へ送信されるとともに、そのレシート情報蓄積装置のネットワーク上のアドレスがレシート情報送信装置から携帯端末を介してレシート情報管理端末へ送信され、レシート情報管理端末はそのアドレスに基づいてレシート情報蓄積装置に蓄積されたレシート情報を取得する。即ち、紙ベースの情報を用いることなくレシート情報を管理するため、レシート情報の消失を防止することが可能となる。また、従来のように、管理者がレシート情報を書き写したり、キーボードで入力する必要がなく、正確なレシート情報の管理が可能となる。
【００１３】
また、複数の携帯端末の利用者が商品を購入した場合に、各利用者を識別してその商品購入に対応するレシート情報を管理することを可能にするという観点から、本発明によれば、前記レシート情報管理システムにおいて、前記携帯端末は、該携帯端末の利用者を識別する利用者識別情報を前記第１のレシート情報受信手段により受信されたレシート情報に付加する利用者識別情報付加手段を備え、前記携帯端末内の第２のレシート情報送信手段は、前記利用者識別情報が付加されたレシート情報を前記レシート情報蓄積装置へ送信するようにした。
【００１４】
また、複数の携帯端末の利用者による商品購入に対応するレシート情報が蓄積されている場合に、各利用者が自己の商品購入に対応するレシート情報を取得することを可能にするとともに、他の利用者に自己の商品購入に対応するレシート情報が漏洩することを防止するという観点から、本発明によれば、前記レシート情報管理システムにおいて、前記携帯端末は、前記レシート情報蓄積装置のネットワーク上のアドレスとともに、前記利用者識別情報をレシート情報管理端末へ送信する利用者識別情報送信手段を備え、前記レシート情報管理端末は、前記携帯端末からの利用者識別情報を受信する利用者識別情報受信手段を備え、前記レシート情報管理端末内のレシート情報要求手段は、前記受信された利用者識別情報を含んだ要求を行い、前記レシート情報蓄積装置内の第３のレシート情報送信手段は、前記レシート情報管理端末からの要求に含まれる利用者識別情報が付加されたレシート情報を、該レシート情報管理端末へ送信するようにした。
【００１５】
また、本発明によれば、前記レシート情報管理システムにおいて、前記レシート情報管理端末は、前記受信されたレシート情報に基づいて、商品購入履歴を作成する商品購入履歴作成手段を備える。
【００１６】
また、本発明によれば、前記レシート情報管理システムにおいて、前記レシート情報が商品の属性を含む場合に、前記レシート情報管理端末は、前記レシート情報を該レシート情報に含まれる商品の属性に基づいて仕分けるレシート情報仕分手段を備える。
【００１７】
また、利用者に商品の有効期限を認識させるという観点から、本発明によれば、前記レシート情報管理システムにおいて、前記レシート情報が商品の有効期限を含む場合に、前記レシート情報管理端末は、各商品について有効期限が経過しているか否かを判定する期限判定手段と、該期限判定手段により有効期限が経過していると判定された場合に、その旨を通知する期限経過通知手段とを備える。
【００１８】
また、携帯端末の利用者にレシート情報を認識させるという観点から、本発明によれば、前記レシート情報管理システムにおいて、前記携帯端末は、前記受信されたレシート情報を通知するレシート情報通知手段を備える。
【００１９】
【発明の実施の形態】
以下、本発明の実施の形態を図面に基づいて説明する。図１は、本発明が適用される情報管理システムの構成例を示す図である。同図に示すレシート情報管理システム１００は、レジスタ１１０、携帯端末１２０、レシート情報蓄積装置１３０、レシート情報管理端末１４０、無線ネットワーク１５０を備えて構成される。
【００２０】
このレシート情報管理システム１００は、携帯端末１２０の利用者が商品を購入した場合に、その商品購入に対応する電子化されたレシート情報を、レジスタ１０から携帯端末１２０又はレシート情報蓄積装置１３０を介して、あるいは携帯端末１２０とレシート情報蓄積装置１３０の双方を介して、レシート情報管理端末１４０へ送信する。
【００２１】
情報送信装置としてのレジスタ１１０は、例えば店舗内に設置される。図２は、レジスタ１１０の構成例を示す図である。同図に示すレジスタ１１０は、制御部１１１、無線／赤外線送受信部１１２、レシート情報データベース（ＤＢ）１１３、送受信部１１４を備えて構成される。
【００２２】
制御部１１１は、携帯端末１２０の利用者が商品を購入した場合に、その商品購入に対応するレシート情報を生成する。このレシート情報には、例えば商品の種別を示す属性情報、購入金額、購入日時、購入した商品の品名、商品の有効期限が含まれる。
【００２３】
レシート情報がレジスタ１１０から携帯端末１２０を介してレシート情報管理端末１４０へ送信される場合、制御部１１１は、この生成したレシート情報を、無線／赤外線送受信部１１２を介してＩｒＤＡやＢｌｕｅｔｏｏｔｈ等の短距離無線通信を利用して携帯端末１２０へ送信する。
【００２４】
一方、レシート情報がレジスタ１１０からレシート情報蓄積装置１３０を介してレシート情報管理端末１４０へ送信される場合、制御部１１１は、無線／赤外線送受信部１１２を介して携帯端末１２０に対し、該携帯端末１２０の利用者、即ち、商品購入者を識別する利用者識別情報としての個人ＩＤを要求する。この個人ＩＤは、例えば携帯端末１２０に付与されている電話番号等である。携帯端末１２０は、この要求に応じて個人ＩＤを送信する。送信された個人ＩＤは、無線／赤外線送受信部１１２を介して制御部１１１に入力される。
【００２５】
制御部１１１は、この個人ＩＤを生成したレシート情報に付加してレシート情報ＤＢ１１３に格納する。次に制御部１１１は、所定のタイミングでレシート情報ＤＢ１１３に格納された、個人ＩＤが付加されたレシート情報を読み出し、送受信部１１４及びネットワーク１５０を介してレシート情報蓄積装置１３０へ送信する。次に制御部１１１は、予め認識しているレシート情報蓄積装置１３０のネットワーク１５０上のアドレス（例えばインターネットで用いられるＵＲＬやＩＰアドレス等）を、無線／赤外線送受信部１１２を介して携帯端末１２０へ送信する。
【００２６】
また、レシート情報がレジスタ１１０から携帯端末１２０とレシート情報蓄積装置１３０とを介してレシート情報管理端末１４０へ送信される場合、制御部１１１は、予め認識しているレシート情報蓄積装置１３０のネットワーク１５０上のアドレス（以下、「蓄積装置アドレス」と称する）を生成したレシート情報に付加し、無線／赤外線送受信部１１２を介して携帯端末１２０へ送信する。以下においては、蓄積装置アドレスが付加されたレシート情報を「特積装置アドレス付レシート情報」と称する。
【００２７】
携帯端末１２０は、例えば携帯電話機である。図３は、携帯端末１２０の構成例を示す図である。同図に示す携帯端末１２０は、制御部１２１、無線／赤外線送受信部１２２、レシート情報データベース（ＤＢ）１２３、無線通信部１２４、表示部１２５を備えて構成される。
【００２８】
レシート情報がレジスタ１１０から携帯端末１２０を介してレシート情報管理端末１４０へ送信される場合、無線／赤外線送受信部１２２は、レジスタ１１０からのレシート情報を受信し、制御部１２１へ出力する。制御部１２１は、このレシート情報が入力されると、携帯端末１２０によりレシート情報が受信された旨を示す情報転送完了通知を、無線／赤外線送受信部１２２を介してレジスタ１１０へ送信する。レジスタ１１０は、この情報完了通知により、携帯端末１２０がレシート情報を受信したことを認識する。
【００２９】
次に制御部１２１は、入力されたレシート情報を無線／赤外線送受信部部１２２又は無線通信部１２４へ出力するとともに、これら無線／赤外線送受信部部１２１又は無線通信部１２４に対し、送信指示を出す。無線／赤外線送受信部部１２１は、この指示に応じてレシート情報を、ＩｒＤＡやＢｌｕｅｔｏｏｔｈ等の短距離無線通信によりレシート情報管理端末１４０へ送信する。また、無線通信部１２４は、この指示に応じてレシート情報を、ネットワーク１５０を介してレシート情報管理端末１４０へ送信する。
【００３０】
また、制御部１２１は、入力されたレシート情報をレシート情報ＤＢ１２３に蓄積し、例えば利用者の操作に応じて、蓄積したレシート情報を読み出し、表示部１２５に表示する制御を行う。
【００３１】
一方、レシート情報がレジスタ１１０からレシート情報蓄積装置１３０を介してレシート情報管理端末１４０へ送信される場合、無線／赤外線送受信部１２２は、レジスタ１１０からの個人ＩＤ要求を受信し、制御部１２１へ出力する。制御部１２１は、この個人ＩＤ要求が入力されると、携帯端末１２０の利用者を識別する利用者識別情報としての個人ＩＤを、無線／赤外線送受信部１２２を介してレジスタ１１０へ送信する。上述したように、レジスタ１１０は、この個人ＩＤを受信すると、生成したレシート情報に付加する。
【００３２】
次に、無線／赤外線送受信部１２２はレジスタ１１０からの蓄積装置アドレスを受信し、制御部１２１へ出力する。制御部１２１は、この蓄積装置アドレスが入力されると、携帯端末１２０により蓄積装置アドレスが受信された旨を示す情報転送完了通知を、無線／赤外線送受信部１２２を介してレジスタ１１０へ送信する。レジスタ１１０は、この情報完了通知により、携帯端末１２０が蓄積装置アドレスを受信したことを認識する。
【００３３】
次に制御部１２１は、蓄積装置アドレスと個人ＩＤとを無線／赤外線送受信部部１２２又は無線通信部１２４へ出力するとともに、これら無線／赤外線送受信部部１２１又は無線通信部１２４に対し、送信指示を出す。無線／赤外線送受信部部１２１は、この指示に応じて蓄積装置アドレスと個人ＩＤとを、ＩｒＤＡやＢｌｕｅｔｏｏｔｈ等の短距離無線通信によりレシート情報管理端末１４０へ送信する。また、無線通信部１２４は、この指示に蓄積装置アドレスと個人ＩＤとを、ネットワーク１５０を介してレシート情報管理端末１４０へ送信する。
【００３４】
また、レシート情報がレジスタ１１０から携帯端末１２０とレシート情報蓄積装置１３０とを介してレシート情報管理端末１４０へ送信される場合、無線／赤外線送受信部１２２は、レジスタ１１０からの蓄積装置アドレス付レシート情報を受信し、制御部１２１へ出力する。制御部１２１は、この蓄積装置アドレス付レシート情報が入力されると、携帯端末１２０によりレシート情報が受信された旨を示す情報転送完了通知を、無線／赤外線送受信部１２２を介してレジスタ１１０へ送信する。レジスタ１１０は、この情報完了通知により、携帯端末１２０がレシート情報を受信したことを認識する。
【００３５】
制御部１２１は、入力されたレシート情報に携帯端末１２０の利用者を識別する利用者識別情報としての個人ＩＤを付加する。次に制御部１２１は、入力された蓄積装置アドレスで特定されるレシート情報蓄積装置１３０を送信先として、個人ＩＤが付加されたレシート情報を無線通信部１２４へ出力するとともに、無線通信部１２４に対し、送信指示を出す。無線通信部１２４は、この指示に応じて個人ＩＤ付レシート情報を、ネットワーク１５０を介してレシート情報蓄積装置１３０へ送信する。
【００３６】
図４は、レシート情報の一例を示す図である。同図に示すように、レシート情報領域にはレジスタ１１０からのレシート情報内の商品の種別を示す属性情報、購入金額、購入日時、購入した商品の品名、商品の有効期限（例えば食品の賞味期限や薬品の使用期限）が格納される。一方、付加情報領域には個人ＩＤや蓄積装置アドレスが格納される。
【００３７】
なお、蓄積装置アドレスについては、必ずしもレシート情報蓄積装置１３０へ送信する必要はないため、制御部１２１は、入力された蓄積装置アドレス付レシート情報から蓄積装置アドレスを削除した上で個人ＩＤを付加するようにしても良い。
【００３８】
また、制御部１２１は、蓄積装置アドレスと個人ＩＤとを無線／赤外線送受信部部１２２又は無線通信部１２４へ出力するとともに、これら無線／赤外線送受信部部１２１又は無線通信部１２４に対し、送信指示を出す。無線／赤外線送受信部部１２１は、この指示に応じて蓄積装置アドレスと個人ＩＤとを、ＩｒＤＡやＢｌｕｅｔｏｏｔｈ等の短距離無線通信によりレシート情報管理端末１４０へ送信する。また、無線通信部１２４は、この指示に応じて蓄積装置アドレスと個人ＩＤとを、ネットワーク１５０を介してレシート情報管理端末１４０へ送信する。
【００３９】
レシート情報蓄積装置１３０は、レジスタ１１０や携帯端末１２０から送信される個人ＩＤ付レシート情報を受信し、蓄積する。図５は、レシート情報蓄積装置１３０の構成例を示す図である。同図に示すレシート情報蓄積装置１３０は、送受信部１３１、１３３、レシート情報データベース（ＤＢ）１３２を備えて構成される。
【００４０】
レシート情報がレジスタ１１０からレシート情報蓄積装置１３０を介してレシート情報管理端末１４０へ送信される場合、送受信部１３１は、レジスタ１１０からの個人ＩＤ付レシート情報を受信し、レシート情報ＤＢ１３２に蓄積するとともに、該個人ＩＤ付レシート情報を受信した旨を示す情報転送完了通知を携帯端末１２０に返送する。携帯端末１２０は、この情報転送完了通知により、レシート情報蓄積装置１３０がレシート情報を受信したことを認識する。
【００４１】
一方、レシート情報がレジスタ１１０から携帯端末１２０とレシート情報蓄積装置１３０とを介してレシート情報管理端末１４０へ送信される場合、送受信部１３１は、レジスタ１１０からの個人ＩＤ付レシート情報を受信し、レシート情報ＤＢ１３２に蓄積するとともに、該個人ＩＤ付レシート情報を受信した旨を示す情報転送完了通知を携帯端末１２０に返送する。携帯端末１２０は、この情報転送完了通知により、レシート情報蓄積装置１３０がレシート情報を受信したことを認識する。
【００４２】
送受信部１３３内のレシート情報検索機能１３４は、レシート情報管理端末１４０からの個人ＩＤを含んだレシート情報要求を受信した場合、レシート情報ＤＢ１３２を検索し、その個人ＩＤが付加されたレシート情報を抽出する。抽出されたレシート情報は、レシート情報管理端末１４０へ送信される。
【００４３】
また、レシート情報検索機能１３４は、レシート情報管理端末１４０や他の端末（図示せず）からの個人ＩＤを含んだ問い合わせを受信した場合、レシート情報ＤＢ１３２を検索し、その個人ＩＤが付加されたレシート情報があるか否か等を判定する。この判定結果は、問い合わせ回答としてレシート情報管理端末１４０や他の端末へ送信される。
【００４４】
レシート情報管理端末１４０は、例えば家庭内に設置されたパーソナルコンピュータであり、レジスタ１１０や携帯端末１２０から送信されるレシート情報を受信し、商品購入履歴を作成する。図６は、レシート情報管理端末１４０の構成例を示す図である。同図に示すレシート情報管理端末１４０は、送受信部１４１、レシート情報仕分部１４２、商品の種別毎に設けられたレシート情報データベース（ＤＢ）１４３、家計簿作成部１４４、表示部１４５、レシート情報要求部１４６を備えて構成される。
【００４５】
レシート情報がレジスタ１１０から携帯端末１２０を介してレシート情報管理端末１４０へ送信される場合、送受信部１４１は、携帯端末１２０からのレシート情報を受信し、レシート情報仕分部１４２へ出力するとともに、レシート情報を受信した旨を示す情報転送完了通知を携帯端末１２０に返送する。携帯端末１２０は、この情報転送完了通知により、レシート情報管理端末１４０がレシート情報を受信したことを認識する。
【００４６】
レシート情報仕分部１４２は、このレシート情報を該レシート情報内に含まれる属性情報に基づいて仕分け、商品の種別毎に設けられたレシート情報ＤＢ１４３の何れかに蓄積する。
【００４７】
家計簿作成部１４４は、レシート情報内の各情報（属性情報、購入金額、購入日時、購入した商品の品名、商品の有効期限）により構成される商品購入の履歴データを所定の期間（例えば１ヶ月）単位に作成する。具体的には、家計簿作成部１４４は、例えば利用者の操作に応じて、各レシート情報ＤＢ１４３からレシート情報を読み出し、この読み出したレシート情報と内蔵するメモリ（図示せず）に格納されている読み出し済みのレシート情報とを比較する。そして、両者が異なる場合、換言すれば、レシート情報ＤＢ１４３に新たなレシート情報が蓄積されている場合、家計簿作成部１４４は、直前に作成した商品購入の履歴データに対し、新たに入力されたレシート情報を付加し、その新たに入力されたレシート情報の品名を強調表示するように商品購入の履歴データを作成する。また、家計簿作成部１４４は、商品購入の履歴データを構成する各レシート情報内の有効期限が経過しているか否かを判定し、有効期限が経過している場合には、その有効期限を強調表示するように商品購入の履歴データを作成する。このようにして作成された商品購入の履歴データは、表示部１４５に表示される。
【００４８】
図７は、表示部１４５に表示される商品購入の履歴データの一例を示す図である。同図に示すように商品購入の履歴データは、レシート情報内の各情報により構成される。また、前回の商品購入の履歴データの作成時から今回の商品購入の履歴データの作成時までの間に新たに購入された商品の購入日時が強調表示される。更に、商品の有効期限が経過している場合には、その有効期限が強調表示される。
【００４９】
一方、レシート情報がレジスタ１１０からレシート情報蓄積装置１３０を介してレシート情報管理端末１４０へ送信される場合、又は、レシート情報がレジスタ１１０から携帯端末１２０とレシート情報蓄積装置１３０とを介してレシート情報管理端末１４０へ送信される場合、送受信部１４１は、携帯端末１２０からの蓄積装置アドレスと個人ＩＤとを受信し、レシート情報要求部１４６へ出力するとともに、蓄積装置アドレス及び個人ＩＤを受信した旨を示す情報転送完了通知を携帯端末１２０に返送する。携帯端末１２０は、この情報転送完了通知により、レシート情報管理端末１４０が蓄積装置アドレス及び個人ＩＤを受信したことを認識する。
【００５０】
レシート情報要求部１４６は、蓄積装置アドレスと個人ＩＤとが入力されると、例えば利用者の操作に応じて、個人ＩＤを含んだレシート情報要求を作成し、このレシート情報要求を、蓄積装置アドレスで特定されるレシート情報蓄積装置１３０を送信先として出力する。無線通信部１４１は、レシート情報要求部１４６からのレシート情報要求を、ネットワーク１５０を介してレシート情報蓄積装置１３０へ送信する。上述したように、レシート情報蓄積装置１３０は、このレシート情報要求を受信した場合、該レシート情報要求に含まれる個人ＩＤが付加されたレシート情報を抽出する。抽出されたレシート情報は、レシート情報管理端末１４０へ送信される。
【００５１】
送受信部１４１は、このレシート情報蓄積装置１３０からのレシート情報を受信し、レシート情報仕分部１４２へ出力するとともに、レシート情報を受信した旨を示す情報転送完了通知をレシート情報蓄積装置１３０に返送する。レシート情報蓄積装置１３０は、この情報転送完了通知により、レシート情報管理端末１４０がレシート情報を受信したことを認識する。
【００５２】
以降の処理は、上述した、レシート情報がレジスタ１１０から携帯端末１２０を介してレシート情報管理端末１４０へ送信される場合と同様であるのでその説明は省略する。
【００５３】
次にシーケンス図を用いてレシート情報管理システムの動作を説明する。図８は、レシート情報がレジスタ１１０から携帯端末１２０を介してレシート情報管理端末１４０へ送信される場合におけるレシート情報管理システム１００の動作を示すシーケンス図である。
【００５４】
レジスタ１１０は、携帯端末１２０の利用者が商品を購入した場合、その商品購入に対応するレシート情報を生成し、この生成したレシート情報を携帯端末１２０へ送信する（Ｓ１）。
【００５５】
携帯端末１２０は、レジスタ１１０からのレシート情報を受信すると、その旨を示す情報転送完了通知をレジスタ１１０へ送信する（Ｓ２）。レジスタ１１０は、この情報転送完了通知により、携帯端末１２０がレシート情報を受信したことを認識する。
【００５６】
次に、携帯端末１２０は、受信したレシート情報をレシート情報管理端末１４０へ送信する（Ｓ３）。レシート情報管理端末１４０は、携帯端末１２０からのレシート情報を受信すると、その旨を示す情報転送完了通知を携帯端末１２０へ送信する（Ｓ４）。携帯端末１２０は、この情報転送完了通知により、レシート情報管理端末１４０がレシート情報を受信したことを認識する。
【００５７】
図９は、レシート情報がレジスタ１１０からレシート情報蓄積装置１３０を介してレシート情報管理端末１４０へ送信される場合におけるレシート情報管理システム１００の動作を示すシーケンス図である。
【００５８】
レジスタ１１０は、携帯端末１２０の利用者が商品を購入した場合、その商品購入に対応するレシート情報を生成するとともに、携帯端末１２０に対し、該携帯端末１２０の利用者、即ち、商品購入者を識別する利用者識別情報としての個人ＩＤを要求する（Ｓ１１）。携帯端末１２０は、この要求に応じてレジスタ１１０へ個人ＩＤを送信する（Ｓ１２）。
【００５９】
レジスタ１１０は、携帯端末１２０からの個人ＩＤを受信すると、この個人ＩＤを生成したレシート情報に付加してレシート情報蓄積装置１３０へ送信する（Ｓ１３）。レシート情報蓄積装置１３０は、レジスタ１１０からの個人ＩＤ付レシート情報を受信すると、レシート情報ＤＢ１３２に蓄積するとともに、受信した旨を示す情報転送完了通知をレジスタ１１０へ送信する（Ｓ１４）。レジスタ１１０は、この情報転送完了通知により、レシート情報蓄積装置１４０がレシート情報を受信したことを認識する。
【００６０】
次に、レジスタ１１０は、予め認識しているレシート情報蓄積装置１３０のネットワーク１５０上のアドレス（蓄積装置アドレス）を携帯端末１２０へ送信する（Ｓ１５）。
【００６１】
携帯端末１２０は、レジスタ１１０からの蓄積装置アドレスを受信すると、その旨を示す情報転送完了通知を、レジスタ１１０へ送信する（Ｓ１６）。レジスタ１１０は、この情報完了通知により、携帯端末１２０が蓄積装置アドレスを受信したことを認識する。
【００６２】
次に携帯端末１２０は、蓄積装置アドレスと個人ＩＤとをレシート情報管理端末１４０へ送信する（Ｓ１７）。レシート情報管理端末１４０は、携帯端末１２０からの蓄積装置アドレスと個人ＩＤとを受信すると、その旨を示す情報転送完了通知を、携帯端末１２０へ送信する（Ｓ１８）。携帯端末１２０は、この情報転送完了通知により、レシート情報管理端末１４０が蓄積装置アドレス及び個人ＩＤを受信したことを認識する。
【００６３】
次にレシート情報管理端末１４０は、受信した個人ＩＤを含むレシート情報要求を、同じく受信した蓄積装置アドレスで特定されるレシート情報蓄積装置１３０へ送信する（Ｓ１９）。
【００６４】
レシート情報蓄積装置１３０は、このレシート情報要求を受信すると、該レシート情報要求に含まれる個人ＩＤが付加されたレシート情報を抽出し、レシート情報管理端末１４０へ送信する（Ｓ２０）。
【００６５】
レシート情報管理端末１４０は、このレシート情報蓄積装置１３０からのレシート情報を受信すると、その旨を示す情報転送完了通知をレシート情報蓄積装置１３０に返送する（Ｓ２１）。レシート情報蓄積装置１３０は、この情報転送完了通知により、レシート情報管理端末１４０がレシート情報を受信されたことを認識する。
【００６６】
図１０は、レシート情報がレジスタ１１０から携帯端末１２０とレシート情報蓄積装置１３０とを介してレシート情報管理端末１４０へ送信される場合におけるレシート情報管理システム１００の動作を示すシーケンス図である。
【００６７】
レジスタ１１０は、携帯端末１２０の利用者が商品を購入した場合、その商品購入に対応するレシート情報を生成するとともに、このレシート情報に予め認識しているレシート情報蓄積装置１３０のネットワーク１５０上のアドレス（蓄積装置アドレス）を付加して携帯端末１２０へ送信する（Ｓ３１）。
【００６８】
携帯端末１２０は、レジスタ１１０からの蓄積装置アドレス付レシート情報を受信すると、その旨を示す情報転送完了通知をレジスタ１１０へ送信する（Ｓ３２）。レジスタ１１０は、この情報完了通知により、携帯端末１２０が蓄積装置アドレス付レシート情報を受信したことを認識する。
【００６９】
次に携帯端末１２０は、受信したレシート情報に携帯端末１２０の利用者を識別する利用者識別情報としての個人ＩＤを付加し、蓄積装置アドレスで特定されるレシート情報蓄積装置１３０へ送信する（Ｓ３３）。
【００７０】
レシート情報蓄積装置１３０は、携帯端末１２０からの個人ＩＤ付レシート情報を受信すると、レシート情報ＤＢ１３２に蓄積するとともに、受信した旨を示す情報転送完了通知を携帯端末１２０へ送信する（Ｓ３４）。携帯端末１２０は、この情報転送完了通知により、レシート情報蓄積装置１４０がレシート情報を受信したことを認識する。
【００７１】
次に携帯端末１２０は、蓄積装置アドレスと個人ＩＤとをレシート情報管理端末１４０へ送信する（Ｓ３５）。レシート情報管理端末１４０は、携帯端末１２０からの蓄積装置アドレスと個人ＩＤとを受信すると、その旨を示す情報転送完了通知を、携帯端末１２０へ送信する（Ｓ３６）。携帯端末１２０は、この情報転送完了通知により、レシート情報管理端末１４０が蓄積装置アドレス及び個人ＩＤを受信したことを認識する。
【００７２】
次にレシート情報管理端末１４０は、受信した個人ＩＤを含むレシート情報要求を、同じく受信した蓄積装置アドレスで特定されるレシート情報蓄積装置１３０へ送信する（Ｓ３７）。
【００７３】
レシート情報蓄積装置１３０は、このレシート情報要求を受信すると、該レシート情報要求に含まれる個人ＩＤが付加されたレシート情報を抽出し、レシート情報管理端末１４０へ送信する（Ｓ３８）。
【００７４】
レシート情報管理端末１４０は、このレシート情報蓄積装置１３０からのレシート情報を受信すると、その旨を示す情報転送完了通知をレシート情報蓄積装置１３０に返送する（Ｓ３９）。レシート情報蓄積装置１３０は、この情報転送完了通知により、レシート情報管理端末１４０がレシート情報を受信されたことを認識する。
【００７５】
このように、レシート情報管理システム１００では、携帯端末１２０の利用者が商品を購入した場合に、その商品購入に対応する電子化されたレシート情報を、レジスタ１０から携帯端末１２０又はレシート情報蓄積装置１３０を介して、あるいは携帯端末１２０とレシート情報蓄積装置１３０の双方を介して、レシート情報管理端末１４０へ送信する。
【００７６】
即ち、レシート情報管理システム１００は、紙ベースの情報を用いることなくレシート情報を管理するため、レシート情報の消失を防止することが可能となる。また、従来のように、管理者がレシート情報を書き写したり、キーボードで入力する必要がなく、正確なレシート情報の管理が可能となる。
【００７７】
また、レシート情報管理システム１００では、個人ＩＤにより各商品購入者を識別することができる。このため、複数の商品購入者に対応するレシート情報を管理することが可能となる。また、レシート情報管理端末１４０がレシート情報１３０に対しレシート情報を要求する際、個人ＩＤを含んだ要求を行うため、各利用者は自己の商品購入に対応するレシート情報を取得することを可能にするとともに、他の利用者に自己の商品購入に対応するレシート情報が漏洩することを防止することが可能となる。
【００７８】
なお、本実施例では、レシート情報送信装置としてレジスタ１１０を用いたが、自動販売機等の他の装置をレシート情報送信装置として用いるようにしても良い。
【発明の効果】
上述の如く、本願発明によれば、紙ベースの情報を用いることなくレシート情報を管理するため、レシート情報の消失を防止することが可能となる。また、従来のように、管理者がレシート情報を書き写したり、キーボードで入力する必要がなく、正確なレシート情報の管理が可能となる。
【図面の簡単な説明】
【図１】レシート情報管理システムの構成例を示す図である。
【図２】レジスタの構成例を示す図である。
【図３】携帯端末の構成例を示す図である。
【図４】レシート情報のフォーマットの一例を示す図である。
【図５】レシート情報蓄積装置の構成例を示す図である。
【図６】レシート情報管理端末の構成例を示す図である。
【図７】商品購入の履歴データの一例を示す図である。
【図８】レシート情報がレジスタから携帯端末を介してレシート情報管理端末へ送信される場合におけるレシート情報管理システムの動作を示すシーケンス図である。
【図９】レシート情報がレジスタからレシート情報蓄積装置を介してレシート情報管理端末へ送信される場合におけるレシート情報管理システムの動作を示すシーケンス図である。
【図１０】レシート情報がレジスタから携帯端末とレシート情報蓄積装置とを介してレシート情報管理端末へ送信される場合におけるレシート情報管理システムの動作を示すシーケンス図である。
【符号の説明】
１００  レシート情報管理システム
１１０  レジスタ
１１１、１２１  制御部
１１２、１２２、１３１  無線／赤外線送受信部
１１３、１２３、１３２、１４３  レシート情報データベース（ＤＢ）
１１４、１３１、１３３、１４１  送受信部
１２０  携帯端末
１２４  無線通信部
１２５、１４５  表示部
１３０  レシート情報蓄積装置
１３４  レシート情報検索機能
１４０  レシート情報管理端末
１４２  レシート情報仕分部
１４４  家計簿作成部
１４６  レシート情報要求部
【図１】
0003997060.tif 000002
【図２】
0003997060.tif 000003
【図３】
0003997060.tif 000004
【図４】
0003997060.tif 000005
【図５】
0003997060.tif 000006
【図６】
0003997060.tif 000007
【図７】
0003997060.tif 000008
【図８】
0003997060.tif 000009
【図９】
0003997060.tif 000010
【図１０】
0003997060.tif 000011